(57)【要約】【課題】一般家庭等の駐車場の下にプラスチック製浄化槽を設置する場合に、作業日数をあまり要さず簡単に、必要な強度を確保できる浄化槽の施工法を提供する。【解決手段】地表５から所定の深さの地盤１まで掘削し、地盤１の上に割栗石６を含む基礎を築き、基礎内の周りに浄化槽２の平面視大きさを超える範囲で型枠１３を立て、型枠１３内の基礎の上に補強鉄筋９を敷設し、所定高さまで基礎スラブコンクリート８ａを打設し、コンクリート強度が所定値以上に達したらその上に浄化槽２を載置し、更に浄化槽２の外側周りを浄化槽の側部底面部（コーナ部）の曲面の上限１２高さまでコンクリート８ｂを打設し、浄化槽２の周りの空間部に土砂を充填したのち、駐車場の基礎となる床スラブ４を打設する。【選択図】図１
2004068534.tif 000002
【特許請求の範囲】
【請求項１】
地表から所定の深さの地盤まで掘削し、
前記地盤の上に割栗石を含む基礎を築き、
前記基礎内の周りに、浄化槽の平面視大きさを超える範囲で型枠を立て、
前記型枠内の基礎の上に補強鉄筋を敷設し、
所定高さまで基礎スラブを打設し、
コンクリート強度が所定値以上に達したら、その上に浄化槽を載置し、
更に前記浄化槽の外側周りに、浄化槽の側部底面部の曲面の上限高さまでコンクリートを打設し、
浄化槽の周りの空間部に土砂を充填したのち、
駐車場の基礎となる床スラブを打設する、
駐車場下への浄化槽の施工法。
【請求項２】
地表から所定の深さの地盤まで掘削し、
前記地盤の上に割栗石を含む基礎を築き、
前記基礎内の周りに、浄化槽の平面視大きさを超える範囲で型枠を立て、
前記型枠内の基礎の上に補強鉄筋を敷設すると共に、浄化槽の底面面積以上の大きさのプレキャスト製スラブ板を敷き、
その上に浄化槽を載置し、
更に前記浄化槽の外側周りに、浄化槽の側部底面部の曲面の上限の高さまでコンクリートを打設し、
浄化槽の周りの空間部に土砂を充填したのち、
駐車場の基礎となる床スラブを打設する、
駐車場下への浄化槽の施工法。
【発明の詳細な説明】
【０００１】
【発明の属する技術分野】
本発明は、一般家庭等の地下にプラスチック製浄化槽を設置し、その上を駐車場等として利用する場合の「浄化槽の施工法」に関するものである。
【０００２】
【従来の技術】
一般家庭等において、重量２０００ｋｇ以下の乗用車の駐車場下（地下）に家庭用プラスチック製浄化槽を設置する場合の従来の施工法を図４に示した。駐車場へ進入してきた時の荷重（力）、あるいは、その駐車場に駐車している自家用車の自重が浄化槽２へ直接に掛かって、これを破損させないように、浄化槽２の上面に床スラブ４を敷設し、その床スラブ４に掛かる荷重を床スラブ４を支える複数本の支柱１７を介して下方の基礎スラブ８へ伝える工法で、一般家庭等の駐車場下にプラスチック製浄化槽を設置する場合の工法として、昭和５０年代から広く知られ実施されている方法である。
【０００３】
また、俗に「根巻き」と称して、プラスチック製浄化槽の槽体外側全面をコンクリートで埋設する方法もある（日本建築センター：屎尿浄化槽の構造基準・同解説、ｐ．４８７、１９９６年）。
【０００４】
なお、プラスチック製浄化槽２の槽体は、通常、成形により製造され、また、槽の側部底面部（コーナ部）は、死角をつくらず汚水がスムーズに流れるように、槽内側に中心点を有するような曲面形状（Ｒがある）に形成されるのが普通である。
【０００５】
【発明が解決しようとする課題】
上記方法のうち支柱を介して支える方法は、（コンクリートの）強度を確保するため、基礎スラブの打設及び養生のあとに、支柱の打設及び養生をしなければならないので相当の作業日数を要する。
また、「根巻き」と称する方法では、保護するべきコンクリートの経年収縮によってプラスチックス製浄化槽の側壁が逆に圧縮されて、設置した浄化槽が破損することもある。
本発明は、一般家庭等の駐車場の下（地下）にプラスチック製浄化槽を設置する場合に、作業日数をあまり要さずに、簡単に、しかも、必要な強度を確保できる浄化槽の施工法を提供することを目的とする。
【０００６】
【課題を解決するための手段】
上記目的を達成するために、本発明者らは種々検討した結果、（乗用車等の）荷重を支える支柱を設けなくとも、必要な強度を確保できる浄化槽の施工法を見出すことができ、本発明を完成するに至った。
【０００７】
すなわち、本発明（以下、第１の方法ともいう）は、
地表５（浄化槽マンホール蓋３のレベル）から所定の深さの地盤１まで掘削し、前記地盤１の上に割栗石６を含む基礎を築き、
前記基礎内の周りに、浄化槽２の平面視大きさを超える範囲で型枠１３を立て、前記型枠１３内の基礎の上に補強鉄筋９を敷設し、
所定高さまで基礎スラブ（基礎スラブコンクリート）８ａを打設し、
コンクリート強度が所定値以上に達したら、その上に浄化槽２を載置し、
更に前記浄化槽２の外側周りに、浄化槽の側部底面部（コーナ部）の曲面の上限（すなわち、直線的な浄化槽側壁の下端）１２高さまでコンクリート８ｂを打設し、
浄化槽２の周りの空間部に土砂を充填したのち、
駐車場の基礎となる（浄化槽上面に）床スラブ４を打設する、ことを特徴とする駐車場下への浄化槽の施工法である。
【０００８】
また、本発明（以下、第２の方法ともいう）は、
地表５から所定の深さの地盤１まで掘削し、
前記地盤１の上に割栗石６を含む基礎を築き、
前記基礎内の周りに、浄化槽２の平面視大きさを超える範囲で型枠１３を立て、前記型枠１３内の基礎の上に補強鉄筋９を敷設すると共に、浄化槽２の底面面積以上の大きさのプレキャスト製スラブ板１５を敷き、
その上に浄化槽２を載置し、
更に前記浄化槽２の外側周りに、浄化槽２の側部底面部（コーナ部）の曲面の上限１２の高さまでコンクリート８ｂを打設し、
浄化槽２の周りの空間部に土砂を充填したのち、
駐車場の基礎となる（浄化槽上面に）床スラブを打設する、ことを特徴とする駐車場下への浄化槽の施工法である。
【０００９】
【作用】
駐車場下の地下の（プラスチック製）浄化槽の上に掛かる自動車等の荷重は、先ず、浄化槽の四周の側壁に掛かる。ここで、浄化槽の側部底面部（コーナ部）は、直角ではなく曲面に形成されているので、特に、その曲面部は外側へ広げられようとする横向きの力が大きく掛かる。本発明では、その曲面部の外側に、更にコンクリートを打設して補強しているので、これによりその部分の浄化槽側壁の変化は抑えられ、浄化槽は破損しにくい。
また、浄化槽の外側（側部）を補強するコンクリートは、浄化槽外側全面にではなく、浄化槽底部から側部底面部の曲面の上限高さまでの一部にだけ打設されているので、経年変化でそのコンクリートが収縮したとしても浄化槽を圧縮する力は、浄化槽を破損させるほどには大きくはならない。
【００１０】
【発明の実施の形態】
以下、添付図面を参照しながら本発明の浴槽を更に説明する。
図１は、本発明の第１の方法により施工した駐車場下（地下）の浄化槽の概略正面図であり、図２は図１のイの部分の拡大図である。
【００１１】
先ず、駐車場下（地下）で浄化槽２を設置しようとする場所について、グランドレベル５を決めるマンホール蓋３から所定の深さを掘削して、地盤１を形成させる。この地盤１の上に、所定厚さの割栗石６を敷き、その上に目潰し砂利を敷き、十分に転圧する。さらに、５ｃｍ程度の厚みに捨てコンクリート７を打設し養生して、基礎とする。この基礎内に、埋設する浄化槽２のタテ・ヨコ幅（平面視）を超える大きさで型枠１３を矩形状に立て、その型枠１３の中に補強鉄筋９を縦横に敷設する。所定高さまで基礎スラブ８を打設し、そのコンクリート強度が所要強度の１／２程度までに硬化・養生させた後に、その上に浄化槽２を据え付ける。浄化槽内部に深さ２０〜３０ｃｍ程度の深さに水を張り、更に、前記浄化槽の外側周りに、浄化槽２の側部底面部（コーナ部）の曲面の上端１２（すなわち、直線的な浄化槽側壁の下端）の水準付近までコンクリートを打設する。
【００１２】
その後、浄化槽２の外側の空間部に、良質の土砂（粗大な砕石、木片又は腐葉土等を含まない山砂等）を所定の施工地面高さ（グランドレベル）よりも１０ｃｍ程度低い地面まで充填する。このとき、厚さ２０ｃｍ毎に散水し踏み固めながら浄化槽２を埋設していく。最後に浄化槽２の上面に所定の鉄筋を組立て、マンホールの開口部の周りにも所要の補強鉄筋を組立て、コンクリート厚さ１０ｃｍ程度の（駐車場用）床スラブ４を打設する。
【００１３】
図３は、本発明の別の方法で、基礎スラブの一部をプレキャスト製スラブ板に代えて施工した場合の、駐車場下（地下）の浄化槽の概略正面図である。
型枠１３を矩形状に立てる工程までは、上記の第１の方法と同じである。その後、補強鉄筋９を縦横に敷設したのち、図示するように、基礎の上に、（所定高さまでコンクリートを打設する代わりに）所定厚さで、所要の強度を有し、浄化槽の底面の大きさ以上のプレキャスト製スラブ板１５を敷き、その上に浄化槽２を所定位置に据え付ける。ここで、プレキャスト製スラブ板１５どうしを接続する必要がある場合は繋ぎ部分にモルタル１６を詰める。その後、浄化槽内部に深さ２０〜３０ｃｍ程度の深さに水を張った状態で、更に、前記浄化槽の外側周りに、浄化槽２の側部底面部（コーナ部）の曲面の上端１２（すなわち、直線的な浄化槽側壁の下端）の水準付近までコンクリート８ｂを打設する。
【００１４】
その後、上記の第１の方法と同じようにして、浄化槽２の外側の空間部に、良質の土砂を所定の施工地面高さ（グランドレベル）よりも１０ｃｍ程度低い地面まで充填し、最後に浄化槽２の上面に（駐車場用）床スラブ４を打設する。この第２の方法は、前記第１の方法に比べて、基礎スラブ８ａの硬化・養生に要する時間を短縮できる利点がある。
【００１５】
【発明の効果】
本発明の第１及び第２の方法によれば、床スラブ上の荷重を支える支柱工事がなくなるので、一般家庭等の駐車場の下に、簡単に作業日数をあまり要さずに、プラスチック製浄化槽を設置できる。また、必要な強度を確保できる。
また、本発明の第２の方法は、第１の方法に比べて、基礎スラブの硬化・養生に要する時間だけ施工時間を短縮できる。
【図面の簡単な説明】
【図１】本発明の第１の方法で施工した駐車場下（地下）の浄化槽の概略正面図（縦断面図）。
【図２】図１のイの部分の拡大図。
【図３】本発明の第２の方法で施工した駐車場下（地下）の浄化槽の概略正面図（縦断面図）。
【図４】従来の方法により施工された駐車場下（地下）の浄化槽の概略正面図（縦断面図）。
【符号の説明】
１：地盤　　　　２：（プラスチック製）浄化槽
３：浄化槽マンホール／蓋　　　４：（駐車場用）床スラブ
５：グランドレベル（地表）　　　６：割栗石
７：捨てコンクリート　　８：基礎スラブ
８ａ：基礎スラブ　　８ｂ：コンクリート
９：補強鉄筋　　１０：（浄化槽の）側壁面
１１：（浄化槽の）底部
１２：浄化槽の側部底面部（コーナ部）における曲面の上端
１３：型枠　　　１５：プレキャスト製スラブ板
１６：充填モルタル　　　１７：支柱
【図１】
2004068534.tif 000003
【図２】
2004068534.tif 000004
【図３】
2004068534.tif 000005
【図４】
2004068534.tif 000006